(57)【要約】      （修正有）【課題】引っ張り出し式マスクの積み重ね構造を提供する。【解決手段】引っ張り出し式マスクの積み重ね構造１は、複数のマスクユニット２と、複数の開封線２１と、複数の接合点３と、包装バッグと、を備える。複数のマスクユニット２が互いに順に積み重ねられるように結合された後に包装バッグ内に収容され、使用時にはマスクユニット２を引っ張り出すことが可能になり、開封線２１を切り取った後にマスクユニット２を顔に貼り付けることが可能になる。【選択図】図２
0003223282.tif 000002
【実用新案登録請求の範囲】
【請求項１】
互いに順に積み重ねられるように結合される複数のマスクユニットと、
各マスクユニットに設けられ、２つの目部と、鼻部と、口部と、が形成される複数の開封線と、
各マスクユニットの側端にそれぞれ設けられる複数の切断部分と、
前記マスクユニットを接合させるように各マスクユニットの間に設けられる複数の接合点と、
内部に前記複数のマスクユニットが収容されるための包装バッグと、を備え、
複数のマスクユニットが互いに順に積み重ねられるように結合された後に包装バッグ内に収容され、使用時にマスクユニットを引っ張り出すことができ、且つ開封線を切り取った後にマスクユニットを顔に貼り付けることが可能になることを特徴とする、
引っ張り出し式マスクの積み重ね構造。
【請求項２】
前記マスクユニットは、まず１回半折された後、互いに順に積み重ねられるように結合されることを特徴とする請求項１に記載の引っ張り出し式マスクの積み重ね構造。
【請求項３】
前記マスクユニットは円弧状を呈することを特徴とする請求項１に記載の引っ張り出し式マスクの積み重ね構造。
【請求項４】
複数の開封線で形成される目部、鼻部、及び口部が使用者の顔の目、鼻、及び口に対応することを特徴とする請求項１に記載の引っ張り出し式マスクの積み重ね構造。
【請求項５】
前記複数の切断部分は前記マスクユニットの折り重ねられる辺縁に高低差を生み、前記マスクユニットの折り重ねられる部分が同一の平面に位置されないことを特徴とする請求項１に記載の引っ張り出し式マスクの積み重ね構造。
【考案の詳細な説明】
【技術分野】
【０００１】
本考案は、引っ張り出し式マスクの積み重ね構造に関し、更に詳しくは、交錯するように積み重ねられる方式により引っ張り出して使用可能なマスク構造に関する。
【背景技術】
【０００２】
人々は顔の美容を重視するようになっており、拭いたり塗り付けて使用する様々な美容機能を備える数多くの美容製品のほかに、マスクも必要不可欠な製品となっている。マスクは主に顔に貼り付けることによりマスク内の成分が皮膚から吸収され、保湿、美白、角質の除去等の目的を達成させる。市場に出回る従来のほぼ全てのマスクは個別包装されて販売されている。即ち、各包装バッグには１つのマスクしか包装されていない。
【考案の概要】
【考案が解決しようとする課題】
【０００３】
しかしながら、前述した従来の技術では、包装材の消費が増えて環境問題等を引き起こすほか、使用時には毎回包装バッグを破ってマスクを取り出さねばならず、消費者にとっては携帯に不便であった。
【０００４】
そこで、本考案者は上記の欠点が改善可能と考え、鋭意検討を重ねた結果、合理的設計で上記の課題を効果的に改善する本考案の提案に至った。
【０００５】
本考案は、このような従来の問題に鑑みてなされたものである。上記課題解決のため、本考案は、引っ張り出し式マスクの積み重ね構造を提供することを主目的とする。
【課題を解決するための手段】
【０００６】
上記課題を解決するための本考案のある態様の引っ張り出し式マスクの積み重ね構造は、互いに順に積み重ねられるように結合される複数のマスクユニットと、各マスクユニットに設けられ、２つの目部と、鼻部と、口部と、が形成される複数の開封線と、各マスクユニットの側端にそれぞれ設けられる複数の切断部分と、これら前記マスクユニットを接合させるように各マスクユニットの間に設けられる複数の接合点と、内部にこれら前記複数のマスクユニットが収容されるための包装バッグと、を備え、主に複数のマスクユニットが互いに順に積み重ねられるように結合された後に包装バッグ内に収容され、使用時にマスクユニットを引っ張り出すことができ、且つ開封線を切り取った後にマスクユニットを顔に貼り付けることが可能になる。
【図面の簡単な説明】
【０００７】
【図１】本考案に係るマスクスタック構造を示す外観斜視図である。
【図２】本考案に係るマスクスタック構造を示す展開図（一）である。
【図３】本考案に係るマスクスタック構造を示す展開図（二）である。
【図４】本考案に係るマスクスタック構造を示す部分拡大概略である。
【図５】本考案の好ましい実施形態によるマスクスタック構造を示す概略図（一）である。
【図６】本考案の好ましい実施形態によるマスクスタック構造を示す概略図（二）である。
【図７】本考案の好ましい実施形態によるマスクスタック構造を示す概略図（三）である。
【図８】本考案の好ましい実施形態によるマスクスタック構造を示す概略図（四）である。
【考案を実施するための形態】
【０００８】
以下、本考案の実施の形態について、図面を参照して詳細に説明する。なお、本考案は以下の例に限定されるものではなく、本考案の要旨を逸脱しない範囲で、任意に変更可能であることは言うまでもない。
【０００９】
以下に、図１〜８を参照しながら、本考案をさらに詳しく説明する。図１乃至図８に明確に示すように、本考案に係るマスクの積み重ね構造１は、以下の構成部材を備える。
複数のマスクユニット２：互いに順に積み重ねられるように結合される。
複数の開封線２１：各マスクユニット２に設けられ、２つの目部２２と、鼻部２３と、口部２４とが形成される。
複数の接合点３：これら前記マスクユニット２を接合させるように各マスクユニット２の間に設けられる。
複数の切断部分４：各マスクユニット２の側端にそれぞれ設けられる。
包装バッグ５：これら前記複数のマスクユニット２が前記包装バッグ５内に収容される。
これら前記マスクユニット２は、まず１回半折された後、互いに順に積み重ねられるように結合される。マスクユニット２は円弧状を呈する。複数の開封線２１で形成される目部２２、鼻部２３、及び口部２４は顔の目、鼻、及び口に対応させる。
【００１０】
本考案に係るマスクの積み重ね構造１は主に複数のマスクユニット２が互いに順に積み重ねられるように結合された後に包装バッグ５内に収容される。使用者は使用時にマスクユニット２を順に引っ張り出すことができ、最後に引っ張り出したマスクユニット２を切り離し、マスクユニット２のこれら前記開封線２１を切り取って２つの目部２２及び口部２４を穴の開いた状態にすることで、顔に貼り付けた際に使用者の目と口が露出するようにする。
【００１１】
以上のとおり、各マスクユニット２が包装バッグ５に収容される前に、まず１回半折され、即ち、各マスクユニット２が最後に半分の面積が残る状態とすることで、互いに順に積み重ねられるようになる。各マスクユニット２の間が接合点３により接合されることにより、１枚目のマスクユニット２を引っ張り出した後に２枚目のマスクユニット２が飛び出すようになる。使用者が接合点３の箇所を引きちぎることにより、各マスクユニット２を順に分離することが可能になる。これにより、使用者が各マスクユニット２をスムーズに取り出せるようになる。
【００１２】
また、各々１回半折され、互いに順に積み重ねられる設計により、全体の面積が最小となり、包装バッグ５の包装材を減らして環境保護の目的を達成させるほか、使用者が携帯して使用しやすくなる。
【００１３】
なお、複数のマスクユニット２が互いに順に積み重ねられる設計により、使用者が引っ張り出してマスクユニット２を素早く取り出せるようになり、マスクユニット２を取り出した後にその複数の開封線２１を切り取らなければ、紙ナプキンとして拭いて使用することが可能となる。また、各マスクユニット２の側端に切断部分４が設けられることにより、主にマスクユニット２が包装バッグ５から引っ張り出されて分離されていない場合は半折状態となり、且つマスクユニット２が非常に薄く軽いため、使用者は一側に設けられる切断部分４からマスクユニット２を非常に簡単に切り取ることが可能となる。
【００１４】
前記切断部分４はさらに、使用者がマスクユニット２を非常に簡単に切り取れるようにするメカニズムとして、マスクユニット２に切断部分４を加工する際に、前記マスクユニット２の折り畳まれる辺縁に高低差を作ることにより、マスクユニット２の折り畳まれる部分が同一の平面に位置しないようにする。これにより、使用者がマスクユニット２を切り取る際に、前記マスクユニット２の折り畳まれる辺縁の高低差を指の触感で簡単に判別可能にし、マスクユニット２を容易に切り取れるようにする。
【００１５】
以上を総合すると、従来のマスクは個別包装であるために様々な欠点や不便が存在する。一方、本考案に係るマスクの積み重ね構造１は、複数のマスクユニット２が互いに順に積み重ねられた後に包装バッグ５内に収容され、且つ各マスクユニット２の間が接合点３により接合されるため、使用者が引っ張り出す方式によりマスクユニット２を取り出しやすくなるほか、包装バッグ５の包装材を大幅に減らして環境保護の目的を達成させる。また、複数のマスクユニット２が互いに順に積み重ねられる設計により、全体の体積を減らして使用者が携帯して使用しやすくなる。
【００１６】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１７】
１  マスクの積み重ね構造
２  マスクユニット
２１  開封線
２２  目部
２３  鼻部
２４  口部
３  接合点
４  切断部分
５  包装バッグ
【図１】
0003223282.tif 000003
【図２】
0003223282.tif 000004
【図３】
0003223282.tif 000005
【図４】
0003223282.tif 000006
【図５】
0003223282.tif 000007
【図６】
0003223282.tif 000008
【図７】
0003223282.tif 000009
【図８】
0003223282.tif 000010